(57)【要約】【課題】  特別なコードを準備することなく電力消費を抑制し得るＡＣアダプタ装置の提供。【解決手段】  一次出力側接続線から供給される交流電流を直流電流に変換して二次出力側接続線を介して電気機器に供給するＡＣアダプタの、二次出力側接続線の途中部分に、電気機器へ供給する直流電流を遮断するためのスイッチを設け、二次出力側接続線の途中部分が巻回されるフェライトコアの外装体に、スイッチの操作片を設け、外装体を、フェライトコアを外装する円筒状部と、円筒状部の外周から径方向外方へ膨出する膨出部とから構成し、二次出力側接続線の途中部分を膨出部に引込んで、膨出部に内装したスイッチを介して二分した構成の消費電力抑制装置。【選択図】  図１
2010187519.tif 000002
【特許請求の範囲】
【請求項１】
ＡＣアダプタと電気機器との間に接続される直流電流供給用の接続線の途中部分に、電気機器へ供給する直流電流を遮断するためのスイッチが設けられていることを特徴とする消費電力抑制装置。
【請求項２】
接続線の途中部分が巻回されるフェライトコアの外装体に、スイッチの操作片が設けられていることを特徴とする請求項１記載の消費電力抑制装置。
【請求項３】
外装体はフェライトコアを外装する円筒状部と、該円筒状部の外周から径方向外方へ膨出する膨出部とから構成され、接続線の途中部分が前記膨出部に引込まれて膨出部に内装されたスイッチを介して二分されていることを特徴とする請求項２記載の消費電力抑制装置。
【請求項４】
膨出部の長手方向両側に端壁がそれぞれ設けられ、円筒状部の長手方向両側に端壁がそれぞれ設けられ、円筒状部の軸方向に沿う長手方向長さに比べて膨出部の長手方向長さが短く設定されて、膨出部の一方の端壁が円筒状部の一方の端壁に対して他方の端壁側に位置をずらして配置され、操作片は膨出部の前記一方の端壁から露出して設けられていることを特徴とする請求項３記載の消費電力抑制装置。
【請求項５】
膨出部の他方の端壁側に、円筒状部側ほど一方の端壁から離れるよう傾斜する斜壁が設けられていることを特徴とする請求項４記載の消費電力抑制装置。
【請求項６】
請求項１乃至請求項５のいずれか１に記載の消費電力抑制装置を備えることを特徴とするＡＣアダプタ装置。
【請求項７】
ＡＣアダプタと直流電流供給用の接続線が電気的かつ構造的に一体に構成され、ＡＣ電源とＡＣアダプタとを電気的に接続する接続線が、ＡＣアダプタに着脱自在に設けられていることを特徴とする請求項６記載のＡＣアダプタ装置。
【発明の詳細な説明】
【技術分野】
【０００１】
本発明は、消費電力抑制装置及びＡＣアダプタ装置に関する。
【背景技術】
【０００２】
電力消費を抑制できるＡＣアダプタ装置として、下記特許文献１に示す技術が提案されている。
この技術では、ＡＣアダプタへの待機電力を一次電源側で遮断するための手元スイッチが、二次出力側接続線と平行して設けたリモコンコード上に設けられている。この構成によれば、手元スイッチを操作することでＡＣアダプタの交流回路そのものが切断され、これによってＡＣアダプタの待機電力の消費を抑えることができる。
【先行技術文献】
【特許文献】
【０００３】
【特許文献１】特開２０００―１２３９３０号公報
【発明の概要】
【発明が解決しようとする課題】
【０００４】
上記従来の手元スイッチでは、ＡＣアダプタの交流回路を切断するよう構成されてＡＣアダプタの待機電力を抑えることができるが、この操作を、パーソナルコンピュータ（以下パソコンと称す）等のオペレータの手元で行うには、二次出力側接続線とは別のリモコンコードを準備してこれに手元スイッチを接続しなければならないという構成上の課題があった。また、パソコンを机上に置きＡＣアダプタを床面に置くような場合で、手元スイッチをオペレータが手元で操作できるようにするためには、かなり長尺のリモコンコードを準備しなければならないという問題がある。
【０００５】
そこで本発明は、上記課題に鑑み、特別なコードを準備することなく電力消費を抑制し得るＡＣアダプタ装置の提供を目的とする。
【課題を解決するための手段】
【０００６】
本発明の消費電力抑制装置は、ＡＣアダプタと電気機器との間に接続される直流電流供給用の接続線の途中部分に、電気機器へ供給する直流電流を遮断するためのスイッチが設けられていることを特徴としている。
上記構成において、電気機器へ供給する直流電流を遮断するためのスイッチを接続線の途中部分に設けることで、特別なコード（接続線）を要することなく、消費電力が抑制される。
【０００７】
本発明の消費電力抑制装置では、接続線の途中部分が巻回されるフェライトコアの外装体に、スイッチの操作片が設けられていることを特徴としている。
上記構成において、フェライトコアを外装する外装体にスイッチの操作片を設けることにより、外装体を利用することで操作片のために特別に設置部分を設ける必要がない。
【０００８】
本発明の消費電力抑制装置では、外装体はフェライトコアを外装する円筒状部と、該円筒状部の外周から径方向外方へ膨出する膨出部とから構成され、接続線の途中部分が前記膨出部に引込まれて膨出部に内装されたスイッチを介して二分されていることを特徴としている。
上記構成において、スイッチを膨出部に収納することで、スイッチとフェライトコアとの間に空気層を設けることが可能になる。
【０００９】
本発明の消費電力抑制装置では、膨出部の長手方向両側に端壁がそれぞれ設けられ、円筒状部の長手方向両側に端壁がそれぞれ設けられ、円筒状部の軸方向に沿う長手方向長さに比べて膨出部の長手方向長さが短く設定されて、膨出部の一方の端壁が円筒状部の一方の端壁に対して他方の端壁側に位置をずらして配置され、操作片は膨出部の前記一方の端壁から露出して設けられていることを特徴としている。
【００１０】
上記構成のように、膨出部の一方の端壁を、円筒状部の一方の端壁に対して他方の端壁側に位置をずらして配置し、操作片を膨出部の一方の端壁から露出して設けていることで、操作片を操作するオペレータの手指の位置決めがし易く、操作片の操作がし易い。
【００１１】
本発明の消費電力抑制装置では、膨出部の他方の端壁側に、円筒状部側ほど一方の端壁から離れるよう傾斜する斜壁が設けられていることを特徴としている。
上記構成において、斜壁に手指をあてて操作片に別の手指をあてて膨出部を手指で挟持することで、操作片の操作を安定して行うことが可能である。
【００１２】
本発明のＡＣアダプタ装置は、上記いずれかの構成の消費電力抑制装置を備えることを特徴としている。
このＡＣアダプタ装置によれば、電気機器の不使用時における消費電力を抑えることが可能になる。
【００１３】
本発明のＡＣアダプタ装置では、ＡＣアダプタと直流電流供給用の接続線が電気的かつ構造的に一体に構成され、ＡＣ電源とＡＣアダプタとを電気的に接続する接続線が、ＡＣアダプタに着脱自在に設けられていることを特徴としている。
上記構成のように、ＡＣ電源とＡＣアダプタとを電気的に接続する接続線をＡＣアダプタに着脱自在とした構成によれば、ＡＣアダプタに設けたポートに、端部を独自の形態とした接続線を選択してこれをＡＣアダプタのポートに接続することが可能になり、使用者ごとの対応性を向上させられる。
【発明の効果】
【００１４】
本発明の消費電力抑制装置によれば、電気機器へ供給する直流電流を遮断するためのスイッチを、接続線の途中部分に設けた構成としているから、消費電力を抑制するためのスイッチを設けるために特別なコードを必要としない。
【図面の簡単な説明】
【００１５】
【図１】本発明の実施形態を示すＡＣアダプタ装置の使用状態を示す斜視図
【図２】同じく消費電力抑制装置の操作片を含む外装体の後方からの斜視図
【図３】同じく消費電力抑制装置の前方からの斜視図
【図４】同じく消費電力抑制装置の背面図
【図５】同じく平面図
【図６】同じく一方側（右側）からの側面図
【図７】同じく底面図
【図８】同じく正面図
【図９】同じく内部構造の一部を省略した長手方向を表す中央断面図
【図１０】同じく内部構造の一部を省略した幅方向を表す前方からの断面図
【図１１】同じく外装体の一部（後側一部）を省略した断面斜視図
【発明を実施するための形態】
【００１６】
以下、本発明の実施形態に係るＡＣアダプタ装置を、図面に基づいて説明する。
図１は本発明の実施形態を示すＡＣアダプタ装置の使用状態を示す斜視図、図２はＡＣアダプタ装置に備えられた消費電力抑制装置の、操作片を含む外装体の後方からの斜視図、図３は同じく前方からの斜視図、図４〜図８はそれぞれ操作片を含む外装体の六面図のうちの一図である。
また図９は長手方向を表す中央断面図、図１０は幅方向を表す前方からの断面図、図１１は外装体の一部（後側）を省略した断面斜視図である。
【００１７】
図１に示すように、この実施形態におけるＡＣアダプタ装置は、ＡＣアダプタ２と、一次出力側接続線（一次出力側コード）５と、二次出力側接続線（二次出力側コード）６と、二次出力側接続線６上に設けられた消費電力抑制装置１とから構成され、消費電力抑制装置１は、操作部１Ａを備えている。
【００１８】
ＡＣアダプタ２の一側には、ＡＣ電源に接続される一次出力側接続線５が着脱自在に接続され、ＡＣアダプタ２の他側には、直流電流をノート型のパソコン４に供給するための二次出力側接続線６が電気的、構造的に一体に接続されてＡＣアダプタ２と二次出力側接続線６とは組品３とされている。
【００１９】
消費電力抑制装置１の操作部１Ａは、二次出力側接続線６の途中で且つパソコン４に近い側に設けられており、二次出力側接続線６の他端側には、パソコン４の接続ポートに接続されるプラグ９が設けられている。
なお、ＡＣアダプタ２は、一次出力側接続線５から供給される電力を直流に変換して二次出力側接続線６に供給する機能を有する。
【００２０】
図９に示すように、二次出力側接続線６の途中にフェライトコア７が電気的に接続されている。この場合の接続とは、二次出力側接続線６を円筒状のフェライトコア７の内部に通過させるように巻回することである。
【００２１】
消費電力抑制装置１の操作部１Ａは、パソコン４へ供給する直流電流を遮断するためのスイッチ８と、円筒状のフェライトコア７およびスイッチ８を囲繞する外装体１０を有する。
図２〜図８に示すように、外装体１０は、フェライトコア７を外装する円筒状部１１と、円筒状部１１の外周から径方向外方へ膨出する膨出部１２とから、合成樹脂により一体的に形成されている。
円筒状部１１の両側は開口１３，１４とされており、それぞれの開口１３，１４には二次出力側接続線６の被覆ブッシュ１５，１６が嵌合されている（図９参照）。円筒状部１１の内周面にはフェライトコア７をその外周下部で保持する保持片１７が形成されている。
【００２２】
膨出部１２は、天壁１８と、左右の側壁２０，２１と、斜壁（前壁、すなわち一方の端壁に相当する）２３と、後壁（他方の端壁に相当する）２２とを有している。天壁１８、左右の側壁２０，２１、斜壁２３、後壁２２、天壁１８、の何れもが平板状の壁として形成されている。特に斜壁２３は膨出部１２の左右方向（例えば図８における左右方向）全域にわたって形成されている。また、斜壁２３は円筒状部１１側（下方側）ほど後壁２２から離れるよう傾斜しており、その下端部は円筒状部１１の前壁（一方の端壁に相当する）２４に連続している。
また、膨出部１２の後方は開放されており、この場合、後壁２２を構成している部分は、外装体１０とは別体の、後述のスイッチボックス２６の後壁を代用としている。スイッチボックス２６の後壁は、天壁１８に固定されるスイッチボックス２６の本体に比べて拡大された面積を有しており、膨出部１２の後方端面に、後方から当接されている。
【００２３】
膨出部１２の左右幅は円筒状部１１の径に等しく設定され、膨出部１２の長さ（図６、図９における左右方向の長さ）は、円筒状部１１の長さに比べて短く設定されている。
膨出部１２の後壁２２は、円筒状部１１の後壁（他方の端壁に相当する）２５に比べて前方に位置ずれして配置されている。
【００２４】
天壁１８の裏面に、内部にスイッチ回路を有する前記スイッチボックス２６が固着されている。この構成により、フェライトコア７とスイッチボックス２６との間に隙間（空気層）が設けられた構成となっている。
なお、外装体１０は幅方向中心で二つ割りされたものを組合せて構成されている。
【００２５】
スイッチボックス２６は、スイッチ回路をオン・オフするための操作片２７が、膨出部１２の後壁２２から露出するよう設けられている。ここに用いられているスイッチ構造は、ロッカースイッチと呼ばれるもので、操作片２７は不図示の縦軸回りに回動自在な切替操作片であり、左右何れか一方側を押圧することで、クリック感をもって他方側が後壁２２から突出し、他方側を押圧することで一方側が後壁２２から突出するよう構成されている。
ＡＣアダプタ２側（後方側）から開口１４を通して外装体１０の内部に導入された二次出力側接続線６は、外装体１０の内部において前記スイッチ回路を介して二分されている。
すなわち、外装体１０の内部に導入された二次出力側接続線６は、一旦フェライトコア７に巻かれて前記スイッチ回路の入力側端子３１に接続され、前記スイッチ回路の出力側端子３０から前側の開口１３を通してパソコン４側に導出される構成となっている。
【００２６】
なお、図１に示すように、ＡＣアダプタ２の後方側（ＡＣ電源側）には、ＡＣ電源に接続される一次出力側接続線５の接続ポート３２が設けられている。
【００２７】
上記構成において、パソコン４の接続ポートに二次出力側接続線６のプラグ９を接続し、ＡＣアダプタ２の接続ポート３２に一次出力側接続線５を接続し、またＡＣ電源に一次出力側接続線５を接続する。このようにすることにより、操作片２７がオンの姿勢にあれば、パソコン４に装着されたバッテリーに充電がなされる。
このとき、二次出力側接続線６の途中にはフェライトコア７が接続されているから、直流電流に伴うノイズが除去され、バッテリーの寿命を確保することができる。
【００２８】
ところで、一般的に、バッテリーはその容量を常に充分に満たしておくよりも、容量が減った時点で充分に充電するほうが、寿命が長くなる。そこで、本発明の実施形態では、二次出力側接続線６の途中に、操作部１Ａを設けてバッテリー（パソコン本体）への直流電流の供給を遮断するスイッチ８（操作片２７）を、二次出力側接続線６の途中で且つパソコン４に近い側に設けている。
このため、スイッチ８のオン・オフ操作をオペレータが手元の操作片２７の操作で行うことができる。換言すれば、プラグ９をパソコンから抜く作業や一次出力側接続線５をＡＣ電源から抜くという作業を必要とせず、バッテリーの寿命を確保することができる。
【００２９】
また、パソコン４（パソコン本体）への電力の供給を手元の操作片２７を操作することで行うこともできる。
パソコン４での入力作業が終了した場合や、長時間の中断でパソコン４に電力を供給する必要がなくなった場合では、パソコン４をシャットダウンすることが一般的に行われる。ここで、ＡＣ電源にパソコン４が接続されたままでは、待機電力が発生している。しかしながらこの待機電力は不要な電力である場合がほとんどである。そこで、例えばパソコン４をシャットダウンした後に、操作片２７を手元で操作してスイッチ８をオフにする。これによって、パソコン４への待機電力を遮断することができる。
【００３０】
要するに、バッテリーを含め、パソコン４への電力の供給が不要な場合には、プラグ９を引き抜いたり、ＡＣ電源から一次出力側接続線５を引き抜いたりする作業を要することなく、操作部１Ａに設けた操作片２７を手元で操作してスイッチ８をオフにすることで、不要な電力供給を抑えることができ、便利に使用することができる。
バッテリーの蓄電容量が少ない場合には、やはりオペレータがその手元で操作片２７を操作してスイッチ８をオンにすれば、ＡＣアダプタ２からパソコン４側へ直流電流が供給されて、バッテリーへの充電が行われ、また、充電を行いつつパソコン４の操作を行うことができる。
【００３１】
操作片２７をオペレータが手元で操作するとき、例えば斜壁２３に親指をあてがい、人差指や中指で操作片２７をオン・オフ操作すれば、操作部１Ａを机上で安定させた状態で行うことができる。あるいは、例えば人差指を斜壁２３にあてがい、親指で操作片２７をオン・オフ操作することでも、オペレータは消費電力抑制装置１の操作部１Ａを机上で安定させた状態で、手元で操作することができる。
そして、膨出部１２の後壁２２は、円筒状部１１の後壁２５に比べて前方に位置ずれして配置されているから、操作片２７を手指で操作する際に、円筒状部１１の被覆ブッシュ１６が邪魔にならず、操作片２７の操作がし易い。
【００３２】
以上のように本発明の消費電力抑制装置１によれば、操作部１Ａを二次出力側接続線６の途中に設けているので、スイッチ８のために特別な電源コードを設ける必要がない。
また、操作部１Ａは、フェライトコア７を外装している部材を加工して外装体１０とし、外装体１０にスイッチ８（スイッチボックス２６）および操作片２７を取付けているので、スイッチ８を設けるために別な部材を設ける必要がない。
しかもオペレータがプラグ９等を引抜くという面倒な動作を要せず、手元で操作片２７をオン・オフ操作するという簡単な動作で、パソコン４の待機電力を抑制して省エネルギーに貢献することができ、さらにはバッテリーの寿命を確保することができる。
また、ＡＣ電源とＡＣアダプタ２とを電気的に接続する一次出力側接続線５をＡＣアダプタ２に着脱自在とした構成であるから、ＡＣアダプタ２の接続ポート３２に、端部を独自の形態とした一次出力側接続線５を選択してこれをＡＣアダプタ２の接続ポート３２に接続することが可能になり、使用者ごとの対応性を向上させることができる。
【符号の説明】
【００３３】
１…消費電力抑制装置、１Ａ…操作部、２…ＡＣアダプタ、３…組品、４…パソコン、５…一次出力側接続線、６…二次出力側接続線、７…フェライトコア、８…スイッチ、１０…外装体、１１…円筒状部、１２…膨出部、１３，１４…開口、１５，１６…被覆ブッシュ、１８…天壁、２０，２１…側壁、２２…後壁、２３…斜壁、２４…前壁、２５…後壁、２６…スイッチボックス、２７…操作片、３０…入力側端子、３１…出力側端子、３２…接続ポート
【図１】
2010187519.tif 000003
【図２】
2010187519.tif 000004
【図３】
2010187519.tif 000005
【図４】
2010187519.tif 000006
【図５】
2010187519.tif 000007
【図６】
2010187519.tif 000008
【図７】
2010187519.tif 000009
【図８】
2010187519.tif 000010
【図９】
2010187519.tif 000011
【図１０】
2010187519.tif 000012
【図１１】
2010187519.tif 000013